(57)【要約】【課題】シート状物の先端を挿通させる作業の簡便化、容器内部への異物混入やウェットシートの乾燥の抑制、及び、製造コストの低廉化を並立し得るシート状物収納容器を提供する。【解決手段】シート状物巻回体を収納するとともに、シート状物巻回体を一度に出し入れ可能な開口２１が形成された容器本体２と、開口２１を開閉するとともに、シート状物が単位シート毎に取り出されるよう構成された取出部７を有する蓋体３とを備えたシート状物収納容器１に用いられるチップ６において、取出部７を、可撓性を有する素材からなる単層構造とし、開口及びスリットのうち少なくとも一方からなる貫通部７１１を有する分配部７１と、一端において貫通部７１１と連結したスリット７２１を有する補助部７２とを備えるよう構成する。【選択図】図３
2019142555.tif 000002
【特許請求の範囲】
【請求項１】
多数の単位シートが帯状に連接されてなる長尺シート状物を収納するとともに、前記長尺シート状物全体を一度に出し入れ可能な開口部が形成された容器本体と、前記開口部を開閉するとともに、前記長尺シート状物が前記単位シート毎に取り出されるよう構成された取出部を有する蓋体とを備えたシート状物収納容器において、
前記取出部は、
可撓性を有する素材からなる単層構造であり、
開口及びスリットのうち少なくとも一方からなる貫通部を有する分配部と、
一端において前記貫通部と連結したスリットを有する補助部とを備えることを特徴とするシート状物収納容器。
【請求項２】
請求項１に記載のシート状物収納容器であって、
前記補助部のスリットは一直線状ではないことを特徴とするシート状物収納容器。
【請求項３】
請求項２に記載のシート状物収納容器であって、
前記補助部のスリットは分岐を有することを特徴とするシート状物収納容器。
【請求項４】
請求項３に記載のシート状物収納容器であって、
前記補助部のスリットは２以上の分岐を有することを特徴とするシート状物収納容器。
【請求項５】
請求項３又は請求項４に記載のシート状物収納容器であって、
前記補助部のスリットは、最も前記貫通部に近い分岐点からの枝スリットが、該分岐点において、該スリットの該分岐点より前記貫通部側の部分である幹スリットとなす角が９０度以上であることを特徴とするシート状物収納容器。
【請求項６】
多数の単位シートが帯状に連接されてなる長尺シート状物を収納するとともに、前記長尺シート状物全体を一度に出し入れ可能な開口部が形成された容器本体と、前記開口部を開閉するとともに、前記長尺シート状物が前記単位シート毎に取り出されるよう構成された蓋体とを備えたシート状物収納容器の、前記蓋体を構成する部品であるシート状物分配用チップにおいて、
前記蓋体の本体部に着脱可能に取り付けられるよう構成された取付部と、
可撓性を有する素材からなる単層構造であり、開口及びスリットのうち少なくとも一方からなる貫通部を有する分配部、及び、一端において前記貫通部と連結したスリットを有する補助部を有する取出部とを備えるシート状物分配用チップ。
【発明の詳細な説明】
【技術分野】
【０００１】
本発明は、ロール状ウェットティッシュ等の多数の単位シートが帯状に連接されてなる長尺シート状物を内部に収納でき、当該長尺シート状物が単位シート毎に取り出されるための構成を備えたシート状物収納容器、及び、これに用いられるシート状物分配用チップに関する。
【背景技術】
【０００２】
不織布等のシート状物が多数枚分収納されてなる製品は、使い捨てできる拭き取り用シートとして、家庭内の清掃や人体の清浄用等、様々な場面で使用されている。このような製品には、シート状物を一枚分ずつ容易に取り出し得ることが求められており、この需要を満たすものとして、一般に「ボトルタイプ」と呼ばれる製品が広く知られている。
【０００３】
「ボトルタイプ」製品としては、中空円筒状の収納容器内に、ロール状に巻回された長尺のシート状物が収納されたものが一般的である。この長尺シート状物には、一定間隔でミシン目等の脆弱部が設けられており、使用者がシート状物の一端を収納容器に設けられた小孔やスリットに挿通して引き出すことにより、引き出された脆弱部においてシート状物が切断されるようになっている。これにより、一枚分のシート状物を取り出すと同時に、次の一枚分の一部が引き出され、次回の取り出しの準備が整った状態となる。
【０００４】
ここで、「ボトルタイプ」製品の特徴として、中に収納する長尺シート状物を詰め替えることにより、容器を再利用できる点が挙げられる。このように中身を詰め替えることができる製品の場合、詰め替え作業の度に、シート状物の先端を上述の小孔又はスリットに挿通させる作業が必要となる。また、単位シート同士の連結が脆弱過ぎて、収納容器内部でシートが切断されてしまった場合にも、同様の作業が必要である。
【０００５】
しかしながら、このような製品の収納容器に設けられた小孔やスリットは、シート状物が引き出される際に、シート状物が脆弱部において切断されるのに十分な抵抗力を付与し得るよう設計されたものであるため、シート状物の先端を挿通させるには小さ過ぎる場合が通例である。
【０００６】
このような課題を解決するものとして、特許文献１の第一実施例（図６参照）には、シート状物の引き出しに用いられる小孔及びスリット（引き出し孔９０１）にスリットを介して連接した大径の開口（挿通孔９０２）を設ける技術が開示されている。挿通孔９０２は、シート状物の先端を容易に挿通し得る十分な大きさを有しており、この技術によれば、挿通孔９０２に挿通されたシート状物を、挿通状態のままスリットを経由させて引き出し孔９０１の中心に移動させることにより、シート状物の先端を引き出し孔９０１に容易に挿通させることができる。
【０００７】
また、特許文献１の第二実施例（図７参照）には、シート状物の引き出しに用いられる小孔及びスリット（引き出し孔９１１）、並びに、一本のスリット（スリット９１５）を介して引き出し孔９１１に連接した切り欠き（ガイド溝９１６）が設けられた取出部（板体９１４）を有するシート状物収納容器の蓋体９１も開示されている。この板体９１４は、蓋体本体（蓋本体９１３）の下面に一端部が固着されており、常態では自身の弾性によって蓋本体９１３の下面に密着している。使用者は、板体９１４の一部をその弾性に抗して蓋本体９１３から離反させて保持した状態において、シート状物をガイド溝９１６からスライドさせることにより、シート状物を引き出し孔９１１へ挿通させることができる。その後、さらに、板体９１４を蓋本体９１３から離反状態に保持したままで、蓋本体９１３の、引き出し孔９１１の上方に位置する部分に設けられた開口（挿通孔９１２）に、シート状物の一端を挿通させることにより、シート状物の取り出し準備が整う。この構成によれば、シート状物を挿通した後は、板体９１４が自然に蓋本体９１３に密着し、不要な開口を閉塞することができる。
【先行技術文献】
【特許文献】
【０００８】
【特許文献１】特開平７−２０６０５５号公報
【発明の概要】
【発明が解決しようとする課題】
【０００９】
しかしながら、特許文献１の第一実施例によるシート状物収納容器の蓋体９０は、シート状物の先端を挿通させた後においても、シート状物を引き出そうとする度に不要な大面積の開口が表出する構成となっており、容器内部への異物混入や、ウェットシートの場合にはシート状物の乾燥が助長されるものであった。一方、第二実施例によるシート状物収納容器の蓋体９１は、シート状物の先端の挿通を補助するとともに、不要な開口を閉塞する構成を備えているものの、シート状物の取り出し準備が整うまでに、板体９１４をその弾性に抗して保持した状態で複数の作業を行わねばならず、シート状物の引き出しに用いられる小孔又はスリットに直接シート状物をねじ込む場合と比較して、利便性が向上したとは言い難い構成となってしまっていた。さらに、引き出し孔９１１の周辺が複層構造となっているため、構造が複雑であり、安価であることを求められるウェットシート製品に用いるには、製造コストが割高であった。
【００１０】
本発明は、従来のこのような問題点に鑑み、シート状物の先端を挿通させる作業の簡便化、容器内部への異物混入やウェットシートの乾燥の抑制、及び、製造コストの低廉化を並立し得るシート状物収納容器及びシート状物分配用チップを提供することにある。
【課題を解決するための手段及び効果】
【００１１】
本発明の第１の側面に係るシート状物収納容器によれば、多数の単位シートが帯状に連接されてなる長尺シート状物を収納するとともに、前記長尺シート状物全体を一度に出し入れ可能な開口部が形成された容器本体と、前記開口部を開閉するとともに、前記長尺シート状物が前記単位シート毎に取り出されるよう構成された取出部を有する蓋体とを備えたシート状物収納容器において、前記取出部は、可撓性を有する素材からなる単層構造であり、開口及びスリットのうち少なくとも一方からなる貫通部を有する分配部と、一端において前記貫通部と連結したスリットを有する補助部とを備えるよう構成することができる。
【００１２】
前記構成によれば、補助部のスリット周辺を押圧することにより、シート状物を挿通させるための開口が形成され、押圧をやめると取出部を形成する素材の弾性により開口が閉塞される。よって、開口が形成されている時間を必要最小限に抑えることができ、容器内部への異物混入やウェットシートの乾燥を抑制することができる。
【００１３】
また、取出部が単層構造であるため、シート状物を挿通させる作業の前後で、複層構造の場合のように閉塞のための層を取り除いたり元に戻したりする手間を必要とせず、シート状物挿通時の作業工程を簡便化できる。
【００１４】
さらに、取出部が単層構造という簡素なつくりであることで、複雑な製造工程を必要とせず、製造コストが抑えられる。
【００１５】
すなわち、前記構成によれば、前記３つの効果を並立させることができ、需要者にとっても供給者にとっても有益なシート状物収納容器を提供することができる。
【００１６】
また、本発明の第２の側面に係るシート状物収納容器によれば、前記補助部のスリットを、一直線状ではない形状とすることができる。
【００１７】
スリットが一直線状である場合には、スリットをその幅方向に押し広げなければ開口を生じさせられないが、前記構成によれば、補助部のスリットによって縁取られた内部が、補助部のなす面に対して垂直方向に可動となるため、シート状物の挿通時に可動域内部の１点を押圧するだけでより容易に所望の大きさの開口を生じさせることができる。
【００１８】
さらにまた、本発明の第３の側面に係るシート状物収納容器によれば、前記補助部のスリットを、分岐を有する形状とすることができる。
【００１９】
前記構成によれば、スリットの分岐点の周辺に、少なくとも２つの独立した可動域が形成されるため、当該分岐点を押圧するだけで複数の可動域による開口を生じさせることができ、シート状物の挿通時に、より容易に所望の大きさの開口を生じさせることができる。
【００２０】
さらにまた、本発明の第４の側面に係るシート状物収納容器によれば、前記補助部のスリットを、２以上の分岐を有する形状とすることができる。
【００２１】
前記構成によれば、補助部における可動域をより大きくすることができるため、シート状物の挿通時に、より大きな開口を形成することができ、より分厚いシートでも容易に挿通させることができる。
【００２２】
さらにまた、本発明の第５の側面に係るシート状物収納容器によれば、前記補助部のスリットは、最も前記貫通部に近い分岐点からの枝スリットが、該分岐点において、該スリットの該分岐点より前記貫通部側の部分である幹スリットとなす角が９０度以上であるよう構成することができる。
【００２３】
前記構成によれば、シート状物を挿通させるための開口が、幹スリットに向けて狭くなる形状となるため、開口に挿通されたシートを幹スリットへより容易に誘導することができ、分配部へのシートの誘導がより容易となる。
【００２４】
さらにまた、本発明の第６の側面に係るシート状物分配用チップによれば、多数の単位シートが帯状に連接されてなる長尺シート状物を収納するとともに、前記長尺シート状物全体を一度に出し入れ可能な開口部が形成された容器本体と、前記開口部を開閉するとともに、前記長尺シート状物が前記単位シート毎に取り出されるよう構成された蓋体とを備えたシート状物収納容器の、前記蓋体を構成する部品であるシート状物分配用チップにおいて、前記蓋体の本体部に着脱可能に取り付けられるよう構成された取付部と、可撓性を有する素材からなる単層構造であり、開口及びスリットのうち少なくとも一方からなる貫通部を有する分配部、及び、一端において前記貫通部と連結したスリットを有する補助部を有する取出部とを備えるよう構成することができる。
【００２５】
前記構成によれば、シート状物収納容器の他の部分より劣化が早い取出部周辺のみを取り替え可能とすることができ、シート状物収納容器をより長く使用し続けることができるようになるため、資源の有効活用につながる。
【図面の簡単な説明】
【００２６】
【図１】本発明を適用したシート状物収納容器の斜視図である。
【図２】本発明を適用したシート状物収納容器の蓋体の斜視図である。
【図３】本発明を適用したシート状物分配用チップの平面図である。なお、図中の網掛けは、平面状の部材の一部を指示するためのものであり、部材の模様を示すものではない。
【図４】本発明を適用したシート状物分配用チップの取出部にシート状物の先端を挿通する工程の説明図である。
【図５】本発明を適用したシート状物分配用チップの取出部の他の実施例を示す図である。
【図６】特許文献１に開示された発明を適用した第一実施例に係るシート状物収納容器の斜視図である。
【図７】特許文献１に開示された発明を適用した第二実施例に係るシート状物収納容器の平面図である。
【発明を実施するための形態】
【００２７】
以下、本発明の実施の形態を図面に基づいて説明する。ただし、以下に示す実施の形態は、本発明の技術思想を具体化するための例示であって、本発明はそれらを以下のものに特定しない。また、本明細書は特許請求の範囲に示される部材を、実施の形態の部材に特定するものでは決してない。特に実施の形態に記載されている構成部品の寸法、材質、形状、その相対的配置等は特に特定的な記載がない限りは、本発明の範囲をそれのみに限定する趣旨ではなく、単なる説明例にすぎない。尚、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。
（実施例）
【００２８】
本発明を適用したシート状物収納容器１の斜視図を図１に示す。なお、図１に示す状態を正立として、これ以降の説明を行う。
【００２９】
また、シート状物収納容器１に収納されるシート状物は、一般的なシート状物巻回体を想定して説明を行う。シート状物巻回体は、長さ方向の一定間隔おきに設けられたミシン目によって多数の単位シートに分割された長尺シート状物がロール状に巻回されたものである。また、シート状物巻回体の中心に位置する、長尺シート状物の端部をシート状物先端と称す。
（シート状物収納容器１の構成）
【００３０】
図１に示すように、シート状物収納容器１は容器本体２と蓋体３とにより構成されている。図１の状態では、蓋体３が容器本体２に螺着等の着脱可能な方法により係着されている。
（容器本体２）
【００３１】
容器本体２は、シート状物巻回体を内部に収納するための部材である。
【００３２】
図１に示すように、容器本体２は略円筒状の部材であり、中空構造となっている。また、その下端は底面により閉塞される一方、その上端は開口２１（図示していない。）となっており、開口２１の周縁部は、蓋体３を係着させることができる構造となっている。蓋体３の係着用構造としては、例えば雄ねじ形状等を採用することができる。
【００３３】
容器本体２の素材としては、軽量で剛性及び気密性を有するプラスチック等が好適であるが、これに限定されない。
（蓋体３）
【００３４】
蓋体３は、容器本体２に設けられた開口２１を閉塞するための密閉機能と、引き出されたシート状物先端を摘まみ易い位置に保持するための先端保持機能と、シート状物が引き出される際に、長尺シート状物の、シート状物収納容器１の外部に引き出された部分に対して、ミシン目において切断されるための抵抗力を与えるための分配機能とを有する部材である。
【００３５】
図２に、蓋体３の斜視図を示す。この図に示すように、蓋体３は、蓋体本体４、小蓋５及びチップ６（特許請求の範囲における「シート状物分配用チップ」の一例に対応する。）から構成されている。
（蓋体本体４）
【００３６】
蓋体本体４は、前記密閉機能に関連した部材である。
【００３７】
蓋体本体４は、容器本体２と略同径のごく短い略円筒状の部材であり、中空構造となっている。また、正立状態において、その上端は略閉塞される一方、その下端は開口４３（図示していない。）となっている。開口４３の周縁部は、開口２１の周縁部に設けられた係着用構造に対応する構造となっており、例えば、開口２１の周縁部に雄ねじが形成されている場合には開口４３の周縁部には雌ねじが形成されている。
【００３８】
蓋体本体４の素材としては、容器本体２と同様に、軽量で剛性及び気密性を有するプラスチック等が望ましい。
【００３９】
また、蓋体本体４の上端面には、取出部７（詳細は後述する。）を配するための開口４１が設けられている。さらに、開口４１の周囲は、蓋体本体４の内側において、チップ６（詳細は後述する。）を係着させることができる構造となっており、蓋体本体４の外側においては、引き出されたシート状物先端を内部に収納するための枠４２が設けられている。
（小蓋５）
【００４０】
小蓋５は、前記密閉機能に関連した部材である。
【００４１】
図２に示すように、小蓋５は、蓋体本体４に対して蝶着された略円盤状の部材であって、開口４１の開閉を担っている。小蓋５の内側には枠４２に対応した枠受け５１が設けられており、枠４２と枠受け５１が係着されることで、小蓋５が開口４１を閉塞した状態で蓋体本体４に固定されるとともに、枠４２内部の空間が外部と遮断されるようになっている。
【００４２】
小蓋５には、プラスチック等、蓋体本体４と同一の素材を用いればよいが、別素材を採用することも可能である。
（チップ６）
【００４３】
図３に、チップ６の平面図を示す。チップ６は、例えばシリコンのような可撓性を有する素材からなる小片であり、抜き加工やプレス成型等により製造することができる。図３に示すように、チップ６の周縁部は取付部８となっており、その内側に取出部７が形成されている。
（取出部７）
【００４４】
取出部７は、図３に示す分配部７１と補助部７２とからなる。取出部７は、チップ６が蓋体本体４に取り付けられた状態において、平面視で開口４１内部に位置する。取出部７が配された部分では、シート状物の挿通を行う際の状態（小蓋５が開かれた状態）において、シート状物収納容器１の内部空間と外部空間が、取出部７による一層のみで隔てられるようになっている。なお、本発明における「一層（単層）」とは、分離可能に設けられた他の層を有さないという意味であり、これを満たすものであれば、部分的な凹凸や厚薄があっても一層であるとする。
【００４５】
また、取出部７は、チップ６ではなく蓋体本体４に直接設けられてもよい。この場合、蓋体本体４自体を可撓性を有する素材とし、開口４１を設ける代わりに取出部７を蓋体本体４に一体形成すればよい。
（分配部７１）
【００４６】
分配部７１は、前記先端保持機能及び分配機能に関連した部材である。
【００４７】
図３に示すように、分配部７１には狭小な開口からなる貫通部７１１が設けられており、チップ６の貫通部７１１を取り囲む端縁部近傍が、貫通部７１１に挿通されたシート状物を掴持するための分配弁７１２となっている。
【００４８】
なお、貫通部７１１は狭小な開口のみからなる態様に限定されず、スリットからなる態様や、開口とスリットが併設されてなる態様であってもよい。
【００４９】
また、取出部７のうち分配部７１のみを分厚い態様としたり、上方に突出させた態様としたりすることも可能である。
（補助部７２）
【００５０】
補助部７２は、シート状物先端を貫通部７１１に挿通させる際の補助となる部材である。
【００５１】
図３に示すように、補助部７２にはスリット７２１が形成されており、これにより、チップ６の一部が、チップ６のなす面に垂直な方向に弾性変形可能な閉塞弁７２２となっている。
【００５２】
スリット７２１は、貫通部７１１と分岐点Ｐとをつなぐ一直線状の幹スリット７２１１と、分岐点Ｐにおいて幹スリット７２１１と連結された２本の枝スリット７２１２とからなる。図３においては、幹スリット７２１１を柄とする刺又のような形状のスリット７２１を例示しているが、スリット７２１の形状はこれに限定されない。
【００５３】
また、スリット７２１は幅を有さないスリットである。このため、閉塞弁７２２は、外力が加わっていない状態において、それぞれの端縁部が隣り合う閉塞弁７２２の端縁部と隙間なく接触しているという特徴を有している。
【００５４】
なお、スリット７２１は、チップ６の厚み方向に太さが変化するように形成されてもよい。例えば、閉塞弁７２２の端縁部同士がチップ６の厚み方向上端においてのみ接触し、その接触部からチップ６の厚み方向下端に向かうにつれて端縁部同士の間隔が広がっていくような形状とすれば、シート状物の挿通をより容易に行うことができるようになる。
（取付部８）
【００５５】
取付部８は、蓋体本体４の内側において、開口４１の周囲に設けられた係着用構造と対応する構造となっている。
【００５６】
図２に示すように、チップ６は、取付部８を介して、蓋体本体４の内側から開口４１を閉塞するように係着される。
（シート状物収納容器１の使用方法及び使用に伴う動作）
【００５７】
シート状物収納容器１を使用する際には、使用者は、まず、容器本体２から蓋体３を取り外し、出現した開口２１よりシート状物巻回体を容器本体２内部へ挿入する。続いて、シート状物先端を取出部７に挿通し、蓋体３を再び容器本体２へ取り付ける。これ以降は、必要に応じて小蓋５を開け、取出部７に挿通された状態で保持されているシート状物先端を引張るだけで、シート状物を単位シート毎に取り出すことができる。
【００５８】
ここで、本発明は取出部７に特徴を有するものであるため、上記工程のうち、取出部７にシート状物先端を挿通する工程の作業手順、及び、これに伴う取出部７の各部の動作について、図４のフローチャートに基づいて詳しく説明する。
【００５９】
取出部７にシート状物先端を挿通する工程の初期状態では、蓋体３が容器本体２から取り外されており、容器本体２内部にはシート状物巻回体が挿入され、シート状物巻回体の中心からシート状物先端が引き出されている。また、小蓋５は開かれた状態である。
【００６０】
使用者は、まず、ステップＳＴ１０１において、蓋体３の内側から補助部７２にシート状物先端を当て、外側へ向けて押圧する。これにより、閉塞弁７２２が蓋体３の外側に撓み、補助部７２に開口７２３（図示していない。）が生じるとともに、シート状物先端が蓋体３の外側に押し出される。
【００６１】
続いて、使用者は、ステップＳＴ１０２において、蓋体３の外側からシート状物先端を摘まんで適当な長さに引き出す。この作業の完了に伴い、閉塞弁７２２を押圧する必要がなくなるため、自然と指が閉塞弁７２２から離れる。これにより、閉塞弁７２２が自身の弾性により元の状態に戻ろうとし、シート状物の一部が閉塞弁７２２によって掴持された状態となる。
【００６２】
続いて、使用者は、ステップＳＴ１０３において、シート状物先端を摘まんで貫通部７１１へ向けて引張る。これにより、シート状物は、幹スリット７２１１を経由して貫通部７１１へ到達し、分配弁７１２によって掴持された状態となる。これで挿通は完了である。ここで、閉塞弁７２２は、シート状物が貫通部７１１に向かって移動するに従って外力から開放され、その弾性により元の平らな状態に戻るため、補助部７２が再び隙間なく閉塞された状態となる。
【００６３】
以上の通り、取出部７にシート状物先端を挿通する工程において使用者が意識して行うことは、シート状物先端を補助部７２（開口７２３）に押し込む作業と、シート状物を貫通部７１１に向けて引張る作業のみであり、ごく簡便である。作業の過程で生じた開口７２３は、これら作業の完了に伴って自然に閉塞されるため、作業者が意識せずとも乾燥や異物混入を抑制できる構成となっているのである。
（シート状物収納容器１による効果）
【００６４】
以上述べたように、取出部７が可撓性を有する素材による単層構造であり、補助部７２がスリット７２１により形成されていれば、使用者がシート状物収納容器１を使用する際に、取出部７にシート状物先端を挿通する作業をごく容易に行うことができる。また、作業の過程で生じた開口７２３は、挿通作業の完了に伴って自然に閉塞されるため、作業者が意識せずとも異物混入や乾燥を抑制することができる。さらに、取出部７が単層構造という簡素なつくりであるため、複雑な製造工程を必要とせず、製造コストが抑えられる。
【００６５】
また、シート状物収納容器１のうち、もっとも劣化が早い部分が取出部７であるので、付替用にチップ６を単体で流通させれば、需要者は、チップ６を交換するだけでシート状物収納容器１をより長く使用することができ、資源の有効活用につながる。
（スリット７２１の他の形状）
【００６６】
補助部７２に形成されるスリット７２１の形状は、上記形状に限定されず、例えば図５に示すように様々な形状を採用することが可能である。
【００６７】
図５Ａに示すスリット７２１ａでは、２本の枝スリット７２１２ａが、分岐点Ｐａを起点に互いに線対称の滑らかな弧を描いている。このように、幹スリット７２１１ａと枝スリット７２１２ａとが滑らかに連結されていることで、シート状物の幹スリット７２１１ａへの誘導がより容易になる。
【００６８】
図５Ｂに示すスリット７２１ｂでは、幹スリット７２１１ｂ上に２つの分岐点Ｐｂがあり、各分岐点Ｐｂにおいて、２本の枝スリット７２１２ｂが連結されている。このように、２つの分岐点を有する形状とすることで、補助部７２ｂを押圧した際に形成される開口をより大きくすることができ、シート状物の挿通がより容易になる。このような形状のスリット７２１ｂは、分厚いシート状物の分配に用いる場合や、コンパクトサイズのシート状物収納容器であるためチップ６のサイズを大きくできない場合に特に有用である。
【００６９】
図５Ｃに示すスリット７２１ｃでは、幹スリット７２１１ｃと枝スリット７２１２ｃとが略直交するよう設けられており、その交点となるべき点よりやや貫通部７１１ｃ寄りに分岐点Ｐｃが設けられることで、分岐点Ｐｃの近傍においてのみ、枝スリット７２１２ｃが貫通部７１１ｃ側に屈曲した形状となっている。もちろん、枝スリット７２１２ｃが屈曲せず、単に幹スリット７２１１ｃと直交しているだけでも、上記効果を得ることができるが、図５Ｃに示すような部分的な屈曲を設けることで、幹スリット７２１１ｃと枝スリット７２１２ｃとがなす角を鈍角とすることができるため、シート状物の幹スリット７２１１ｃへの誘導がより容易になる。
【産業上の利用可能性】
【００７０】
本発明に係るシート状物収納容器及びシート状物分配用チップは、特に、詰め替え頻度の高い業務用やコンパクトタイプのウェットティッシュボトルに好適に使用できる。
【符号の説明】
【００７１】
１…シート状物収納容器
２…容器本体、２１…開口
３…蓋体
４…蓋体本体、４１…開口、４２…枠、４３…開口
５…小蓋、５１…枠受け
６…チップ
７…取出部
７１…分配部、７１１…貫通部、７１２…分配弁
７２…補助部
７２１…スリット、７２１１…幹スリット、７２１２…枝スリット
７２２…閉塞弁
７２３…開口
８…取付部
Ｐ…分岐点
【図１】
2019142555.tif 000003
【図２】
2019142555.tif 000004
【図３】
2019142555.tif 000005
【図４】
2019142555.tif 000006
【図５】
2019142555.tif 000007
【図６】
2019142555.tif 000008
【図７】
2019142555.tif 000009
【手続補正書】
【提出日】平成31年3月29日(2019.3.29)
【手続補正１】
【補正対象書類名】特許請求の範囲
【補正対象項目名】全文
【補正方法】変更
【補正の内容】
【特許請求の範囲】
【請求項１】
多数の単位シートが帯状に連接されてなる長尺シート状物を収納するとともに、前記長尺シート状物全体を一度に出し入れ可能な開口部が形成された容器本体と、前記開口部を開閉するとともに、前記長尺シート状物が前記単位シート毎に取り出されるよう構成された取出部を有する蓋体とを備えたシート状物収納容器において、
前記取出部は、
可撓性を有する素材からなる単層構造であり、
開口及びスリットのうち少なくとも一方からなる貫通部を有する分配部と、
一端において前記貫通部と連結し、前記分配部と離間した位置において分岐したスリットを有する補助部とを備えることを特徴とするシート状物収納容器。
【請求項２】
請求項１に記載のシート状物収納容器であって、
前記補助部のスリットは２以上の分岐を有することを特徴とするシート状物収納容器。
【請求項３】
請求項１又は請求項２に記載のシート状物収納容器であって、
前記補助部のスリットは、最も前記貫通部に近い分岐点からの枝スリットが、該分岐点において、該スリットの該分岐点より前記貫通部側の部分である幹スリットとなす角が９０度以上であることを特徴とするシート状物収納容器。
【請求項４】
多数の単位シートが帯状に連接されてなる長尺シート状物を収納するとともに、前記長尺シート状物全体を一度に出し入れ可能な開口部が形成された容器本体と、前記開口部を開閉するとともに、前記長尺シート状物が前記単位シート毎に取り出されるよう構成された蓋体とを備えたシート状物収納容器の、前記蓋体を構成する部品であるシート状物分配用チップにおいて、
前記蓋体の本体部に着脱可能に取り付けられるよう構成された取付部と、
可撓性を有する素材からなる単層構造であり、開口及びスリットのうち少なくとも一方からなる貫通部を有する分配部、及び、一端において前記貫通部と連結し、前記分配部と離間した位置において分岐したスリットを有する補助部を有する取出部とを備えるシート状物分配用チップ。
【手続補正２】
【補正対象書類名】明細書
【補正対象項目名】全文
【補正方法】変更
【補正の内容】
【発明の詳細な説明】
【技術分野】
【０００１】
本発明は、ロール状ウェットティッシュ等の多数の単位シートが帯状に連接されてなる長尺シート状物を内部に収納でき、当該長尺シート状物が単位シート毎に取り出されるための構成を備えたシート状物収納容器、及び、これに用いられるシート状物分配用チップに関する。
【背景技術】
【０００２】
不織布等のシート状物が多数枚分収納されてなる製品は、使い捨てできる拭き取り用シートとして、家庭内の清掃や人体の清浄用等、様々な場面で使用されている。このような製品には、シート状物を一枚分ずつ容易に取り出し得ることが求められており、この需要を満たすものとして、一般に「ボトルタイプ」と呼ばれる製品が広く知られている。
【０００３】
「ボトルタイプ」製品としては、中空円筒状の収納容器内に、ロール状に巻回された長尺のシート状物が収納されたものが一般的である。この長尺シート状物には、一定間隔でミシン目等の脆弱部が設けられており、使用者がシート状物の一端を収納容器に設けられた小孔やスリットに挿通して引き出すことにより、引き出された脆弱部においてシート状物が切断されるようになっている。これにより、一枚分のシート状物を取り出すと同時に、次の一枚分の一部が引き出され、次回の取り出しの準備が整った状態となる。
【０００４】
ここで、「ボトルタイプ」製品の特徴として、中に収納する長尺シート状物を詰め替えることにより、容器を再利用できる点が挙げられる。このように中身を詰め替えることができる製品の場合、詰め替え作業の度に、シート状物の先端を上述の小孔又はスリットに挿通させる作業が必要となる。また、単位シート同士の連結が脆弱過ぎて、収納容器内部でシートが切断されてしまった場合にも、同様の作業が必要である。
【０００５】
しかしながら、このような製品の収納容器に設けられた小孔やスリットは、シート状物が引き出される際に、シート状物が脆弱部において切断されるのに十分な抵抗力を付与し得るよう設計されたものであるため、シート状物の先端を挿通させるには小さ過ぎる場合が通例である。
【０００６】
このような課題を解決するものとして、特許文献１の第一実施例（図６参照）には、シート状物の引き出しに用いられる小孔及びスリット（引き出し孔９０１）にスリットを介して連接した大径の開口（挿通孔９０２）を設ける技術が開示されている。挿通孔９０２は、シート状物の先端を容易に挿通し得る十分な大きさを有しており、この技術によれば、挿通孔９０２に挿通されたシート状物を、挿通状態のままスリットを経由させて引き出し孔９０１の中心に移動させることにより、シート状物の先端を引き出し孔９０１に容易に挿通させることができる。
【０００７】
また、特許文献１の第二実施例（図７参照）には、シート状物の引き出しに用いられる小孔及びスリット（引き出し孔９１１）、並びに、一本のスリット（スリット９１５）を介して引き出し孔９１１に連接した切り欠き（ガイド溝９１６）が設けられた取出部（板体９１４）を有するシート状物収納容器の蓋体９１も開示されている。この板体９１４は、蓋体本体（蓋本体９１３）の下面に一端部が固着されており、常態では自身の弾性によって蓋本体９１３の下面に密着している。使用者は、板体９１４の一部をその弾性に抗して蓋本体９１３から離反させて保持した状態において、シート状物をガイド溝９１６からスライドさせることにより、シート状物を引き出し孔９１１へ挿通させることができる。その後、さらに、板体９１４を蓋本体９１３から離反状態に保持したままで、蓋本体９１３の、引き出し孔９１１の上方に位置する部分に設けられた開口（挿通孔９１２）に、シート状物の一端を挿通させることにより、シート状物の取り出し準備が整う。この構成によれば、シート状物を挿通した後は、板体９１４が自然に蓋本体９１３に密着し、不要な開口を閉塞することができる。
【先行技術文献】
【特許文献】
【０００８】
【特許文献１】特開平７−２０６０５５号公報
【発明の概要】
【発明が解決しようとする課題】
【０００９】
しかしながら、特許文献１の第一実施例によるシート状物収納容器の蓋体９０は、シート状物の先端を挿通させた後においても、シート状物を引き出そうとする度に不要な大面積の開口が表出する構成となっており、容器内部への異物混入や、ウェットシートの場合にはシート状物の乾燥が助長されるものであった。一方、第二実施例によるシート状物収納容器の蓋体９１は、シート状物の先端の挿通を補助するとともに、不要な開口を閉塞する構成を備えているものの、シート状物の取り出し準備が整うまでに、板体９１４をその弾性に抗して保持した状態で複数の作業を行わねばならず、シート状物の引き出しに用いられる小孔又はスリットに直接シート状物をねじ込む場合と比較して、利便性が向上したとは言い難い構成となってしまっていた。さらに、引き出し孔９１１の周辺が複層構造となっているため、構造が複雑であり、安価であることを求められるウェットシート製品に用いるには、製造コストが割高であった。
【００１０】
本発明は、従来のこのような問題点に鑑み、シート状物の先端を挿通させる作業の簡便化、容器内部への異物混入やウェットシートの乾燥の抑制、及び、製造コストの低廉化を並立し得るシート状物収納容器及びシート状物分配用チップを提供することにある。
【課題を解決するための手段及び発明の効果】
【００１１】
本発明の第１の側面に係るシート状物収納容器によれば、多数の単位シートが帯状に連接されてなる長尺シート状物を収納するとともに、前記長尺シート状物全体を一度に出し入れ可能な開口部が形成された容器本体と、前記開口部を開閉するとともに、前記長尺シート状物が前記単位シート毎に取り出されるよう構成された取出部を有する蓋体とを備えたシート状物収納容器において、前記取出部は、可撓性を有する素材からなる単層構造であり、開口及びスリットのうち少なくとも一方からなる貫通部を有する分配部と、一端において前記貫通部と連結し、前記分配部と離間した位置において分岐したスリットを有する補助部とを備えるよう構成することができる。
【００１２】
前記構成によれば、スリットの分岐点の周辺に、少なくとも２つの独立した可動域が形成されるため、当該分岐点を押圧するだけで複数の可動域による開口を生じさせることができ、シート状物の挿通時に、容易に所望の大きさの開口を生じさせることができる。また、押圧をやめると取出部を形成する素材の弾性により開口が閉塞される。よって、開口が形成されている時間を必要最小限に抑えることができ、容器内部への異物混入やウェットシートの乾燥を抑制することができる。
【００１３】
また、取出部が単層構造であるため、シート状物を挿通させる作業の前後で、複層構造の場合のように閉塞のための層を取り除いたり元に戻したりする手間を必要とせず、シート状物挿通時の作業工程を簡便化できる。
【００１４】
さらに、取出部が単層構造という簡素なつくりであることで、複雑な製造工程を必要とせず、製造コストが抑えられる。
【００１５】
すなわち、前記構成によれば、前記３つの効果を並立させることができ、需要者にとっても供給者にとっても有益なシート状物収納容器を提供することができる。
【００１６】
また、本発明の第２の側面に係るシート状物収納容器によれば、前記補助部のスリットを、２以上の分岐を有する形状とすることができる。
【００１７】
前記構成によれば、補助部における可動域をより大きくすることができるため、シート状物の挿通時に、より大きな開口を形成することができ、より分厚いシートでも容易に挿通させることができる。
【００１８】
さらにまた、本発明の第３の側面に係るシート状物収納容器によれば、前記補助部のスリットは、最も前記貫通部に近い分岐点からの枝スリットが、該分岐点において、該スリットの該分岐点より前記貫通部側の部分である幹スリットとなす角が９０度以上であるよう構成することができる。
【００１９】
前記構成によれば、シート状物を挿通させるための開口が、幹スリットに向けて狭くなる形状となるため、開口に挿通されたシートを幹スリットへより容易に誘導することができ、分配部へのシートの誘導がより容易となる。
【００２０】
さらにまた、本発明の第４の側面に係るシート状物分配用チップによれば、多数の単位シートが帯状に連接されてなる長尺シート状物を収納するとともに、前記長尺シート状物全体を一度に出し入れ可能な開口部が形成された容器本体と、前記開口部を開閉するとともに、前記長尺シート状物が前記単位シート毎に取り出されるよう構成された蓋体とを備えたシート状物収納容器の、前記蓋体を構成する部品であるシート状物分配用チップにおいて、前記蓋体の本体部に着脱可能に取り付けられるよう構成された取付部と、可撓性を有する素材からなる単層構造であり、開口及びスリットのうち少なくとも一方からなる貫通部を有する分配部、及び、一端において前記貫通部と連結し、前記分配部と離間した位置において分岐したスリットを有する補助部を有する取出部とを備えるよう構成することができる。
【００２１】
前記構成によれば、シート状物収納容器の他の部分より劣化が早い取出部周辺のみを取り替え可能とすることができ、シート状物収納容器をより長く使用し続けることができるようになるため、資源の有効活用につながる。
【図面の簡単な説明】
【００２２】
【図１】本発明を適用したシート状物収納容器の斜視図である。
【図２】本発明を適用したシート状物収納容器の蓋体の斜視図である。
【図３】本発明を適用したシート状物分配用チップの平面図である。なお、図中の網掛けは、平面状の部材の一部を指示するためのものであり、部材の模様を示すものではない。
【図４】本発明を適用したシート状物分配用チップの取出部にシート状物の先端を挿通する工程の説明図である。
【図５】本発明を適用したシート状物分配用チップの取出部の他の実施例を示す図である。
【図６】特許文献１に開示された発明を適用した第一実施例に係るシート状物収納容器の斜視図である。
【図７】特許文献１に開示された発明を適用した第二実施例に係るシート状物収納容器の平面図である。
【発明を実施するための形態】
【００２３】
以下、本発明の実施の形態を図面に基づいて説明する。ただし、以下に示す実施の形態は、本発明の技術思想を具体化するための例示であって、本発明はそれらを以下のものに特定しない。また、本明細書は特許請求の範囲に示される部材を、実施の形態の部材に特定するものでは決してない。特に実施の形態に記載されている構成部品の寸法、材質、形状、その相対的配置等は特に特定的な記載がない限りは、本発明の範囲をそれのみに限定する趣旨ではなく、単なる説明例にすぎない。尚、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。
（実施例）
【００２４】
本発明を適用したシート状物収納容器１の斜視図を図１に示す。なお、図１に示す状態を正立として、これ以降の説明を行う。
【００２５】
また、シート状物収納容器１に収納されるシート状物は、一般的なシート状物巻回体を想定して説明を行う。シート状物巻回体は、長さ方向の一定間隔おきに設けられたミシン目によって多数の単位シートに分割された長尺シート状物がロール状に巻回されたものである。また、シート状物巻回体の中心に位置する、長尺シート状物の端部をシート状物先端と称す。
（シート状物収納容器１の構成）
【００２６】
図１に示すように、シート状物収納容器１は容器本体２と蓋体３とにより構成されている。図１の状態では、蓋体３が容器本体２に螺着等の着脱可能な方法により係着されている。
（容器本体２）
【００２７】
容器本体２は、シート状物巻回体を内部に収納するための部材である。
【００２８】
図１に示すように、容器本体２は略円筒状の部材であり、中空構造となっている。また、その下端は底面により閉塞される一方、その上端は開口２１（図示していない。）となっており、開口２１の周縁部は、蓋体３を係着させることができる構造となっている。蓋体３の係着用構造としては、例えば雄ねじ形状等を採用することができる。
【００２９】
容器本体２の素材としては、軽量で剛性及び気密性を有するプラスチック等が好適であるが、これに限定されない。
（蓋体３）
【００３０】
蓋体３は、容器本体２に設けられた開口２１を閉塞するための密閉機能と、引き出されたシート状物先端を摘まみ易い位置に保持するための先端保持機能と、シート状物が引き出される際に、長尺シート状物の、シート状物収納容器１の外部に引き出された部分に対して、ミシン目において切断されるための抵抗力を与えるための分配機能とを有する部材である。
【００３１】
図２に、蓋体３の斜視図を示す。この図に示すように、蓋体３は、蓋体本体４、小蓋５及びチップ６（特許請求の範囲における「シート状物分配用チップ」の一例に対応する。）から構成されている。
（蓋体本体４）
【００３２】
蓋体本体４は、前記密閉機能に関連した部材である。
【００３３】
蓋体本体４は、容器本体２と略同径のごく短い略円筒状の部材であり、中空構造となっている。また、正立状態において、その上端は略閉塞される一方、その下端は開口４３（図示していない。）となっている。開口４３の周縁部は、開口２１の周縁部に設けられた係着用構造に対応する構造となっており、例えば、開口２１の周縁部に雄ねじが形成されている場合には開口４３の周縁部には雌ねじが形成されている。
【００３４】
蓋体本体４の素材としては、容器本体２と同様に、軽量で剛性及び気密性を有するプラスチック等が望ましい。
【００３５】
また、蓋体本体４の上端面には、取出部７（詳細は後述する。）を配するための開口４１が設けられている。さらに、開口４１の周囲は、蓋体本体４の内側において、チップ６（詳細は後述する。）を係着させることができる構造となっており、蓋体本体４の外側においては、引き出されたシート状物先端を内部に収納するための枠４２が設けられている。
（小蓋５）
【００３６】
小蓋５は、前記密閉機能に関連した部材である。
【００３７】
図２に示すように、小蓋５は、蓋体本体４に対して蝶着された略円盤状の部材であって、開口４１の開閉を担っている。小蓋５の内側には枠４２に対応した枠受け５１が設けられており、枠４２と枠受け５１が係着されることで、小蓋５が開口４１を閉塞した状態で蓋体本体４に固定されるとともに、枠４２内部の空間が外部と遮断されるようになっている。
【００３８】
小蓋５には、プラスチック等、蓋体本体４と同一の素材を用いればよいが、別素材を採用することも可能である。
（チップ６）
【００３９】
図３に、チップ６の平面図を示す。チップ６は、例えばシリコンのような可撓性を有する素材からなる小片であり、抜き加工やプレス成型等により製造することができる。図３に示すように、チップ６の周縁部は取付部８となっており、その内側に取出部７が形成されている。
（取出部７）
【００４０】
取出部７は、図３に示す分配部７１と補助部７２とからなる。取出部７は、チップ６が蓋体本体４に取り付けられた状態において、平面視で開口４１内部に位置する。取出部７が配された部分では、シート状物の挿通を行う際の状態（小蓋５が開かれた状態）において、シート状物収納容器１の内部空間と外部空間が、取出部７による一層のみで隔てられるようになっている。なお、本発明における「一層（単層）」とは、分離可能に設けられた他の層を有さないという意味であり、これを満たすものであれば、部分的な凹凸や厚薄があっても一層であるとする。
【００４１】
また、取出部７は、チップ６ではなく蓋体本体４に直接設けられてもよい。この場合、蓋体本体４自体を可撓性を有する素材とし、開口４１を設ける代わりに取出部７を蓋体本体４に一体形成すればよい。
（分配部７１）
【００４２】
分配部７１は、前記先端保持機能及び分配機能に関連した部材である。
【００４３】
図３に示すように、分配部７１には狭小な開口からなる貫通部７１１が設けられており、チップ６の貫通部７１１を取り囲む端縁部近傍が、貫通部７１１に挿通されたシート状物を掴持するための分配弁７１２となっている。
【００４４】
なお、貫通部７１１は狭小な開口のみからなる態様に限定されず、スリットからなる態様や、開口とスリットが併設されてなる態様であってもよい。
【００４５】
また、取出部７のうち分配部７１のみを分厚い態様としたり、上方に突出させた態様としたりすることも可能である。
（補助部７２）
【００４６】
補助部７２は、シート状物先端を貫通部７１１に挿通させる際の補助となる部材である。
【００４７】
図３に示すように、補助部７２にはスリット７２１が形成されており、これにより、チップ６の一部が、チップ６のなす面に垂直な方向に弾性変形可能な閉塞弁７２２となっている。
【００４８】
スリット７２１は、貫通部７１１と分岐点Ｐとをつなぐ一直線状の幹スリット７２１１と、分岐点Ｐにおいて幹スリット７２１１と連結された２本の枝スリット７２１２とからなる。図３においては、幹スリット７２１１を柄とする刺又のような形状のスリット７２１を例示しているが、スリット７２１の形状はこれに限定されない。
【００４９】
また、スリット７２１は幅を有さないスリットである。このため、閉塞弁７２２は、外力が加わっていない状態において、それぞれの端縁部が隣り合う閉塞弁７２２の端縁部と隙間なく接触しているという特徴を有している。
【００５０】
なお、スリット７２１は、チップ６の厚み方向に太さが変化するように形成されてもよい。例えば、閉塞弁７２２の端縁部同士がチップ６の厚み方向上端においてのみ接触し、その接触部からチップ６の厚み方向下端に向かうにつれて端縁部同士の間隔が広がっていくような形状とすれば、シート状物の挿通をより容易に行うことができるようになる。
（取付部８）
【００５１】
取付部８は、蓋体本体４の内側において、開口４１の周囲に設けられた係着用構造と対応する構造となっている。
【００５２】
図２に示すように、チップ６は、取付部８を介して、蓋体本体４の内側から開口４１を閉塞するように係着される。
（シート状物収納容器１の使用方法及び使用に伴う動作）
【００５３】
シート状物収納容器１を使用する際には、使用者は、まず、容器本体２から蓋体３を取り外し、出現した開口２１よりシート状物巻回体を容器本体２内部へ挿入する。続いて、シート状物先端を取出部７に挿通し、蓋体３を再び容器本体２へ取り付ける。これ以降は、必要に応じて小蓋５を開け、取出部７に挿通された状態で保持されているシート状物先端を引張るだけで、シート状物を単位シート毎に取り出すことができる。
【００５４】
ここで、本発明は取出部７に特徴を有するものであるため、上記工程のうち、取出部７にシート状物先端を挿通する工程の作業手順、及び、これに伴う取出部７の各部の動作について、図４のフローチャートに基づいて詳しく説明する。
【００５５】
取出部７にシート状物先端を挿通する工程の初期状態では、蓋体３が容器本体２から取り外されており、容器本体２内部にはシート状物巻回体が挿入され、シート状物巻回体の中心からシート状物先端が引き出されている。また、小蓋５は開かれた状態である。
【００５６】
使用者は、まず、ステップＳＴ１０１において、蓋体３の内側から補助部７２にシート状物先端を当て、外側へ向けて押圧する。これにより、閉塞弁７２２が蓋体３の外側に撓み、補助部７２に開口７２３（図示していない。）が生じるとともに、シート状物先端が蓋体３の外側に押し出される。
【００５７】
続いて、使用者は、ステップＳＴ１０２において、蓋体３の外側からシート状物先端を摘まんで適当な長さに引き出す。この作業の完了に伴い、閉塞弁７２２を押圧する必要がなくなるため、自然と指が閉塞弁７２２から離れる。これにより、閉塞弁７２２が自身の弾性により元の状態に戻ろうとし、シート状物の一部が閉塞弁７２２によって掴持された状態となる。
【００５８】
続いて、使用者は、ステップＳＴ１０３において、シート状物先端を摘まんで貫通部７１１へ向けて引張る。これにより、シート状物は、幹スリット７２１１を経由して貫通部７１１へ到達し、分配弁７１２によって掴持された状態となる。これで挿通は完了である。ここで、閉塞弁７２２は、シート状物が貫通部７１１に向かって移動するに従って外力から開放され、その弾性により元の平らな状態に戻るため、補助部７２が再び隙間なく閉塞された状態となる。
【００５９】
以上の通り、取出部７にシート状物先端を挿通する工程において使用者が意識して行うことは、シート状物先端を補助部７２（開口７２３）に押し込む作業と、シート状物を貫通部７１１に向けて引張る作業のみであり、ごく簡便である。作業の過程で生じた開口７２３は、これら作業の完了に伴って自然に閉塞されるため、作業者が意識せずとも乾燥や異物混入を抑制できる構成となっているのである。
（シート状物収納容器１による効果）
【００６０】
以上述べたように、取出部７が可撓性を有する素材による単層構造であり、補助部７２がスリット７２１により形成されていれば、使用者がシート状物収納容器１を使用する際に、取出部７にシート状物先端を挿通する作業をごく容易に行うことができる。また、作業の過程で生じた開口７２３は、挿通作業の完了に伴って自然に閉塞されるため、作業者が意識せずとも異物混入や乾燥を抑制することができる。さらに、取出部７が単層構造という簡素なつくりであるため、複雑な製造工程を必要とせず、製造コストが抑えられる。
【００６１】
また、シート状物収納容器１のうち、もっとも劣化が早い部分が取出部７であるので、付替用にチップ６を単体で流通させれば、需要者は、チップ６を交換するだけでシート状物収納容器１をより長く使用することができ、資源の有効活用につながる。
（スリット７２１の他の形状）
【００６２】
補助部７２に形成されるスリット７２１の形状は、上記形状に限定されず、例えば図５に示すように様々な形状を採用することが可能である。
【００６３】
図５Ａに示すスリット７２１ａでは、２本の枝スリット７２１２ａが、分岐点Ｐａを起点に互いに線対称の滑らかな弧を描いている。このように、幹スリット７２１１ａと枝スリット７２１２ａとが滑らかに連結されていることで、シート状物の幹スリット７２１１ａへの誘導がより容易になる。
【００６４】
図５Ｂに示すスリット７２１ｂでは、幹スリット７２１１ｂ上に２つの分岐点Ｐｂがあり、各分岐点Ｐｂにおいて、２本の枝スリット７２１２ｂが連結されている。このように、２つの分岐点を有する形状とすることで、補助部７２ｂを押圧した際に形成される開口をより大きくすることができ、シート状物の挿通がより容易になる。このような形状のスリット７２１ｂは、分厚いシート状物の分配に用いる場合や、コンパクトサイズのシート状物収納容器であるためチップ６のサイズを大きくできない場合に特に有用である。
【００６５】
図５Ｃに示すスリット７２１ｃでは、幹スリット７２１１ｃと枝スリット７２１２ｃとが略直交するよう設けられており、その交点となるべき点よりやや貫通部７１１ｃ寄りに分岐点Ｐｃが設けられることで、分岐点Ｐｃの近傍においてのみ、枝スリット７２１２ｃが貫通部７１１ｃ側に屈曲した形状となっている。もちろん、枝スリット７２１２ｃが屈曲せず、単に幹スリット７２１１ｃと直交しているだけでも、上記効果を得ることができるが、図５Ｃに示すような部分的な屈曲を設けることで、幹スリット７２１１ｃと枝スリット７２１２ｃとがなす角を鈍角とすることができるため、シート状物の幹スリット７２１１ｃへの誘導がより容易になる。
【産業上の利用可能性】
【００６６】
本発明に係るシート状物収納容器及びシート状物分配用チップは、特に、詰め替え頻度の高い業務用やコンパクトタイプのウェットティッシュボトルに好適に使用できる。
【符号の説明】
【００６７】
１…シート状物収納容器
２…容器本体、２１…開口
３…蓋体
４…蓋体本体、４１…開口、４２…枠、４３…開口
５…小蓋、５１…枠受け
６…チップ
７…取出部
７１…分配部、７１１…貫通部、７１２…分配弁
７２…補助部
７２１…スリット、７２１１…幹スリット、７２１２…枝スリット
７２２…閉塞弁
７２３…開口
８…取付部
Ｐ…分岐点
【手続補正書】
【提出日】令和1年5月16日(2019.5.16)
【手続補正１】
【補正対象書類名】特許請求の範囲
【補正対象項目名】全文
【補正方法】変更
【補正の内容】
【特許請求の範囲】
【請求項１】
多数の単位シートが帯状に連接されてなる長尺シート状物を収納するとともに、前記長尺シート状物全体を一度に出し入れ可能な開口部が形成された容器本体と、前記開口部を開閉するとともに、前記長尺シート状物が前記単位シート毎に取り出されるよう構成された取出部を有する蓋体とを備えたシート状物収納容器において、
前記取出部は、
可撓性を有する素材からなる単層構造であり、
開口及びスリットのうち少なくとも一方からなる貫通部を有し、該貫通部を通って引き出される前記長尺シート状物に、前記長尺シート状物が前記単位シート毎に切断されるための抵抗力を与える分配部と、
前記長尺シート状物の先端を該取出部に第一に挿通させるための、一端において前記貫通部と連結し、前記分配部と離間した位置において分岐したスリットを有する補助部とを備えることを特徴とするシート状物収納容器。
【請求項２】
請求項１に記載のシート状物収納容器であって、
前記補助部のスリットは２以上の分岐を有することを特徴とするシート状物収納容器。
【請求項３】
請求項１又は請求項２に記載のシート状物収納容器であって、
前記補助部のスリットは、最も前記貫通部に近い分岐点からの枝スリットが、該分岐点において、該スリットの該分岐点より前記貫通部側の部分である幹スリットとなす角が９０度以上であることを特徴とするシート状物収納容器。
【請求項４】
多数の単位シートが帯状に連接されてなる長尺シート状物を収納するとともに、前記長尺シート状物全体を一度に出し入れ可能な開口部が形成された容器本体と、前記開口部を開閉するとともに、前記長尺シート状物が前記単位シート毎に取り出されるよう構成された蓋体とを備えたシート状物収納容器の、前記蓋体を構成する部品であるシート状物分配用チップにおいて、
前記蓋体の本体部に着脱可能に取り付けられるよう構成された取付部と、
可撓性を有する素材からなる単層構造の取出部とを備え、
前記取出部は、
開口及びスリットのうち少なくとも一方からなる貫通部を有し、該貫通部を通って引き出される前記長尺シート状物に、前記長尺シート状物が前記単位シート毎に切断されるための抵抗力を与える分配部と、
前記長尺シート状物の先端を該取出部に第一に挿通させるための、一端において前記貫通部と連結し、前記分配部と離間した位置において分岐したスリットを有する補助部とを備えるシート状物分配用チップ。